(57)【要約】【課題】一般的に動画像の再生では、ユーザは１倍速の連続再生以外にも、１／Ｙ倍速のスロー再生、Ｘ倍速の高速再生、あるいは逆方向再生等を要求する場合が多く、これに対応する再生装置が必要になる。また、検索動作についても同様に高速な検索が要求される。【解決手段】  光ディスクのサブコード領域に、画像データのビットストリーム中に含まれるタイム・コードを記録しておき、特殊再生時及び検索時には、サブコードの復号化データから再生位置を確認しながら、目標セクタへの検索動作を行う。あるいは、同サブコード領域にシーケンス・ヘッダ・コードを記録しておき、特殊再生時にはサブコードの復号化データに含まれるシーケンス・ヘッダ・コードを監視し、ＧＯＰ単位のデータ読み出しを行う。【選択図】  図１
2005327468.tif 000002
【特許請求の範囲】
【請求項１】
主たる情報とそれに付随した第１の番地情報が、所定の単位で分割されて位相ピット等により記録された光ディスクにおいて、前記単位毎に付加される第２の番地情報に前記第１の番地情報を記録したことを特徴とする光ディスク。
【請求項２】
請求項１において、前記主たる情報とそれに付随した同期情報が、所定の単位で分割されて位相ピットにより記録された光ディスクで、前記第２の番地情報に前記同期情報を記録した光ディスク。
【請求項３】
請求項１または２に記載の前記主たる情報とは動画像情報であり、前記所定の単位とは光ディスクにおける記録フォーマット上のセクタ、前記第２の番地情報とはセクタの管理情報となるサブコード情報である光ディスク。
【請求項４】
光ディスク上に位相ピット等で形成された情報を再生する光ディスク再生装置において、前記第２の番地情報に記録された前記第１の番地情報を復号化する復号手段と、前記復号手段出力と検索目標となる前記主たる情報の第１の番地との差を計算する計算手段と、前記計算手段出力がゼロとなるように光ディスク上のデータ読み出し用の光スポットを移動させる移動手段とを備えたことを特徴とする光ディスク再生装置。
【請求項５】
請求項１において、前記光ディスク上に位相ピットで形成された情報を再生する光ディスク再生装置で、前記第２の番地情報に記録された前記同期情報を復号化する復号手段と、前記復号手段出力から同期情報が出力された時のみ再生データを記憶手段に記憶させる光ディスク再生装置。
【発明の詳細な説明】
【技術分野】
【０００１】
本発明は、光ディスクとそれを再生する光ディスク再生装置に係わり、特に、期間毎に変動する圧縮率の下で符号化された動画像圧縮データが記録された光ディスクと、その光ディスクからの動画再生を可変速に行うことのできる光ディスク再生装置に関する。
【背景技術】
【０００２】
光ディスクを用いてディジタルデータを再生するシステムの代表例として、いわゆるＣＤ−ＲＯＭがある。ＣＤ−ＲＯＭは、オーディオ用のＣＤと同じ物理フォーマットの光ディスクにコンピュータ用のデータを記録したものであり、以下に述べるようなデータフォーマットを有している。光ディスク上に記録されたデータ列は、フレームと呼ばれる最小単位から構成されており、各フレームには同期データ、サブコード、主情報のディジタルデータ、エラー訂正コードが含まれている。さらに、このフレームを９８フレーム分（２３５２バイト）まとめて１セクタとするセクタ構造をとっており、各セクタは１２バイトの同期データ、アドレスとモードを示す４バイトのヘッダデータ、２０４８バイトのディジタルデータ、２８８バイトのエラー検出・訂正コードから構成される。ただし、同期データを除く２３４０バイト対しては、信号のパワースペクトルの平均化を図るためにスクランブル処理が施されている。
【０００３】
一方、動画像信号の符号化方式としては、直交変換と量子化および可変長符号化にフレーム間予測を組み合わせた方式が良く知られており、ＩＳＯ（国際標準化機構）のＭＰＥＧ方式もこれに準じた方式となっている。符号化された画像データのビットストリームは、例えば、ＭＰＥＧ２の場合には、シーケンス層，ＧＯＰ（Group of Pictures）層，ピクチャ層，スライス層，マクロブロック層，ブロック層の６階層に分けられている。このうちＧＯＰ層には、フレーム間予測を使わずにその情報だけから符号化されたＩピクチャ、ＩピクチャあるいはＰピクチャからの予測を行うことによって生成するＰピクチャ、双方向予測によって生成されるＢピクチャの３種類のデータが含まれる。またシーケンス層は、前記Ｉピクチャから始まりＰピクチャ、Ｂピクチャを含む画像データをひとつのグループとしたＧＯＰと、前記ＧＯＰの先頭に付加されるＳＨ（Sequence Header）によって構成される。
【０００４】
また、動画像信号を高能率符号化して圧縮画像データに変換する際、例えば動きの激しいシーンでは圧縮率を下げて、すなわち高転送レートで符号化し、動きの少ないシーンでは圧縮率を上げて、すなわち低転送レートで符号化する方式が提案されている。このようにして符号化された可変転送レートの圧縮画像データは、圧縮率の平均値に固定して符号化した固定転送レートの圧縮画像データと比較して、圧縮による画像劣化を少なくすることができる。
【０００５】
このような可変転送レートの圧縮画像データを、ＣＤ−ＲＯＭに記録し、これを再生する装置としては例えば、特許文献１に示されている装置がある。
【特許文献１】特開平１−２００７９３号公報
【発明の開示】
【発明が解決しようとする課題】
【０００６】
上記従来技術では、光ディスク上に記録された動画像のいわゆる特殊再生については、特に考慮されていなかった。例えば、一般的に動画像の再生では、ユーザは１倍速の連続再生以外にも、１／Ｙ倍速のスロー再生、Ｘ倍速の高速再生、あるいは逆方向再生等を要求する場合が多く、これに対応する再生装置が必要になる。また、検索動作についても同様に高速な検索が要求される。
【０００７】
本発明の目的は、可変転送レートで符号化された圧縮画像データが記録された光ディスクに対し、各種特殊再生が可能で、高速な検索動作が可能な光ディスクおよび光ディスク再生装置を提供することにある。
【課題を解決するための手段】
【０００８】
上記目的を達成するために、本発明の光ディスクはサブコードに、圧縮画像データのビットストリーム内のＧＯＰ層に含まれているＴＣ（Time Code）を記録しておく。あるいは同様にサブコード内に、シーケンス層に含まれるＳＨＣ（Sequence Header Code）を記録しておく。
【０００９】
また、本発明の光ディスク再生装置は、サブコード復号化回路の出力から前記ＴＣを複号化する手段を設ける。同様に、サブコード復号化回路の出力から前記ＳＨＣを復号化する手段を設ける。さらに、前記ＴＣ復号化手段の出力とマイコンからの出力の差分に応じて光ピックアップを移送する移送手段を備える。
【００１０】
特殊再生を行う場合には、マイコンは光ピックアップ移送手段に対して、外周方向あるいは内周方向に光スポットを移動させるように命令を送出する。光ピックアップは、例えば、トラックジャンプを繰り返しながら、必要なデータだけを光ディスクから読み出し、読み出したデータを画像データの復号化回路に送出する。ここで、サブコード復号化回路からの出力コードと、マイコンから出力される所望のタイムコードとを比較し、サブコード復号化回路からの出力コードに含まれるＴＣがタイムコードと一致したとき、データの読み出しを行うようにする。または、サブコード復号化回路からの出力コードに含まれるＳＨＣを監視しながら、トラックジャンプおよび連続再生の切り替えのタイミングをＳＨＣの検出タイミングに一致させるようにする。
【００１１】
この結果、通常再生以外の特殊再生時で、読み出されたデータの復号化を行うことなく、サブコードの復号だけで再生位置を確認しながらＧＯＰ単位の検索を行えるので、特殊再生を容易に行うことができ、また検索動作時に素早い検索再生画像を得ることが可能となる。
【発明の効果】
【００１２】
本発明によれば、光ディスク上に圧縮画像データを記録する場合に、圧縮画像データのビットストリーム内のＧＯＰ層に含まれているＴＣを、光ディスクのサブコード内に記録しておく。これにより、圧縮画像データの復号を行うことなく、サブコードから復号されたＴＣデータだけから、再生位置を確認することができるので、高速再生，スロー再生，逆方向再生等の特殊再生及び検索動作を容易に行うことが可能となる。
【００１３】
また、同様に圧縮画像データのビットストストリーム内のシーケンス層に含まれるＳＨＣを、光ディスクのサブコード内に記録しておく。これにより、サブコードから復号されたＳＨＣだけから、ＧＯＰ単位のデータの区切りを検出できるので、この結果高速再生，スロー再生，逆方向再生等の特殊再生を容易に行うことが可能となる。
【発明を実施するための最良の形態】
【００１４】
以下、本発明の実施例を図面を用いて説明する。
【００１５】
図１は本発明による光ディスクの第１の実施例を示す図である。同図（ａ）は、光ディスク上のトラックを模式的に示したもので、光ディスクには螺旋状のトラック２０１が形成されている。同図（ｂ）および（ｃ）は、トラック２０１に記録されたデータのフォーマットを示したもので、ここではＣＤのデータフォーマットを例にとっている。従来例で述べたように、各フレームには同期データ、
サブコード、主情報のディジタルデータ、エラー訂正コードが含まれている。このうち、サブコードは同図（ｄ）のようにＰチャネルコード、ＱチャネルコードおよびＲ〜Ｗチャネルコードにより構成されており、例えば音楽用のＣＤでは、Ｑチャネルコードに再生ディスク中の曲数、再生中の曲の番号（インデックス）、曲の先頭からの演奏時間（分，秒，フレーム）および累計演奏時間（分，秒，フレーム）が記録されている。
【００１６】
一方、同図（ｅ）および（ｆ）は、画像符号化方式の一つであるＭＰＥＧ２方式を例にとった場合のデータのビットストリーム構成である。（ｅ）はシーケンス層で、ＳＨとＧＯＰから構成されている。（ｆ）はＧＯＰ層で、Ｉピクチャ，Ｂピクチャ，Ｐピクチャから構成される。ＧＯＰは検索動作の単位となる画面グループの最小単位で、その先頭には、ＧＯＰの開始同期コードであるＧＳＣ（Group Start Code）、シーケンスの先頭からの時間を示すコードであるＴＣ（Time Code）、ＧＯＰ内の画像が他のＧＯＰから独立再生可能なことを示すフラグのＣＧ（Closed GOP）、編集などのためにＧＯＰ内の先頭のＢピクチャが正確に再生できないことを示すフラグのＢＬ（Broken Link）が付加される。
【００１７】
ここで、ＴＣに示される時間コードをサブコード内にも記載しておくことにする。このようにすれば、特殊再生時あるいは検索時で、読み出した画像データを少なくともＧＯＰ層まで復号しなくても、サブコードの復号だけで再生画像の時間コードを再生することが可能になる。従って、後述するように各種特殊再生が容易に可能になり、さらに検索動作も高速に行うことができる。なお、ＴＣを記載するサブコード内の場所としては、同図（ｄ）の斜線にて示したＰチャネルコード，Ｑチャネルコード、またはＲ〜Ｗチャネルコードの何れであっても良い。
【００１８】
あるいは、同様にＳＨに示されるＳＨＣ（Sequence Header Code）をサブコード内に記載しておいても良い。このようにすれば、サブコードの復号だけでＧＯＰの先頭を容易に検出することができるので、特殊再生を行いやすくなる。
【００１９】
図２は、光ディスクに記録されている動画像信号の符号化データで、転送レートの変化の様子を示した図である。動画像信号は例えば、期間ｔ１〜ｔ２では転送レートｒ１［ｂｐｓ］で圧縮されたデータＡに、期間ｔ２〜ｔ３では転送レートｒ２［ｂｐｓ］で圧縮されたデータＢに、期間ｔ３〜ｔ４では転送レートｒ３［ｂｐｓ］で圧縮されたデータＣに、というように期間毎に適当な圧縮率で符号化されている。また、ｒ１〜ｒ３の転送レートの情報は、ＭＰＥＧ２によるビットストリームにおけるＳＨ内のＢＲＶ（Bit Rate Value）に記載される。なおここで、ｒ２＞ｒ１＞ｒ３であり、このデータＡ〜Ｃが前述のように転送レート情報を含めて連続的に光ディスクに記録されているものとする。さらに図１に示したように、ＧＯＰ内のＴＣあるいはＳＨ内のＳＨＣがサブコード内に記録されて
いるものとする。
【００２０】
図３は本発明による光ディスク再生装置の実施例を示すブロック図である。同図で、１は図２に示したような動画像信号の符号化データが記録された光ディスクである。また、２はスピンドルモータ、３は光ディスク１上に例えば位相ピットにより形成された信号を再生する光ピックアップ、４は入力信号の増幅および波形整形を行うプリアンプ回路、５は光ピックアップ３の位置を制御するピックアップ制御回路、６は光ディスク１の記録フォーマットに従ったディジタル信号処理を行うディジタル信号処理回路、７はスピンドル制御回路、８は入力されたデータのスクランブルの解除を行って符号化データとして出力するデ・スクランブル回路、９は容量Ｍ［ｂｉｔｓ］のバッファメモリ、１０は動画像データを復号化する復号化回路、１１は復号化回路に付随するフレームメモリ、１２は復号
化された動画像データをアナログの映像信号に変換するＤ／Ａ変換回路、１３は書き込みアドレスを生成し、バッファメモリ９へのデータ書き込みを制御する書き込み制御回路、１４は読み出しアドレスを生成し、バッファメモリ９からのデータ読み出しを制御する読み出し制御回路、１５はバッファメモリ９の書き込みアドレスと読み出しアドレスの差分からデータ蓄積量を検出する蓄積量検出回路、１６はシステム制御を行うマイコン、１７は出力端子である。
【００２１】
光ピックアップ３から出力される再生信号は、プリアンプ４を介して波形整形されディジタル信号処理回路６に入力される。ディジタル信号処理回路６では入力されたデータに対して同期検出、誤り訂正、サブコードの復号化、信号変調方式に従った復調等の処理を施す。なお、このとき得られる同期、誤り訂正、サブコードに用いられるビット以外のメインデータの転送レートをｒｐ［ｂｐｓ］とする。復調されたメインデータは、デ・スクランブル回路８に入力され、データスクランブルが解除される。デ・スクランブル回路８の出力データは一旦バッファメモリ９に蓄積され、バッファメモリ９から読み出されたデータは、動画像の符号化方式に対応した復号化回路１０、Ｄ／Ａ変換回路１２を介し、動画像信号が再生される。
【００２２】
一方、ディジタル信号処理回路６からの同期信号は、スピンドル制御回路７に入力され、光ディスク１の回転速度を同期信号が一定間隔になるように制御する。また、同じくディジタル信号処理回路６により復号化されたサブコードは、マイコン１６に入力され、後述するようにアクセス時あるいは特殊再生時に、サブコードデータを監視しながら、ピックアップ制御回路５を介して光ピックアップ３を移動させる。ピックアップ制御回路５は、プリアンプ４からのフォーカス誤差信号及びトラッキング誤差信号に基づいて光スポットを光ディスク１上のトラックにトレースさせるように制御すると共に、マイコン１６からの命令により、光ピックアップ３をトレース中のトラックから隣接トラックへ移動させる動作（トラックジャンプ）を行う。
【００２３】
図４は、図３における復号化回路１０とその周辺部を示すブロック図で、復号化回路１０としてＭＰＥＧ方式に対応したものを用いた場合の例である。図３で、１０１は単位時間内での、例えば画像フレーム毎に必要な符号化データ量の変動を吸収するための受信バッファメモリ、１０２は可変長復号化回路、１０３は逆量子化（ＩＱ）回路、１０４は逆離散コサイン変換（ＩＤＣＴ）回路、１０５は加算器、１０６は動き補償（ＭＣ）回路である。
【００２４】
ＭＰＥＧ方式で符号化された符号化データは、その先頭部分で転送レート情報が含まれる構成になっており、期間毎に転送レートが変動すると、その変わり目毎に転送レート情報が含まれることになる。このような符号化データがバッファメモリ９から受信バッファメモリ１０１を介して可変長復号化回路１０２に供給されると、転送レート情報が復号化されて読み出し制御手段１４に出力される。読み出し制御手段１４は、この転送レート情報に応じて読み出しアドレスを生成し、常に妥当な転送レートでバッファメモリ９から復号化回路１０へのデータ読み出しを行うようにする。係る処理により、光ディスク１から連続して圧縮率の異なる符号化データが読み出されてきても、それに対応した転送レートで再生を行っていくことができる。
【００２５】
一方、可変長復号化回路１０２で復号化されたメインデータは、ＩＱ回路１０３、ＩＤＣＴ回路１０４でそれぞれＩＱ処理、ＩＤＣＴ処理が施されて、加算器１０５でＭＣ処理後の参照フレーム画像データと加算された後に、最終的な画像データとして出力される。なお、フレームメモリ１１はＭＣ回路１０６でＭＣ処理を行うために必要なものであり、少なくとも画像データ２フレーム分以上の容量を持つものとする。
【００２６】
以上のような構成をもつ光ディスク再生装置で、通常再生時の動作について図５，図６を用いて説明する。図５は光ディスク１上のトラックの様子を示した図であり、（ｍ−１），ｍ，（ｍ＋１），…（ｍ＋ｎ），（ｍ＋ｎ＋１）はそれぞれセクタを表し、Ｐ１〜Ｐ３は光ピックアップ３の読み出し位置を表す。また図６はデータ転送の様子を示した図であり、同図（ａ）は光ピックアップ３により光ディスク１から読み出されるデータの並び、同図（ｂ）は蓄積量検出回路１５によるバッファメモリ９の検出量検出信号、同図（ｃ）は書き込み制御回路１３によるデスクランブル回路８からバッファメモリ９へのデータ書き込みの状態、また同図（ｄ）のｄ１〜ｄ３はバッファメモリ９の蓄積量を模式的に表した図である。なお以下の説明で、光ディスク１から読み出す圧縮画像データの転送レート、すなわちディジタル信号処理回路６から出力されるメインデータの転送レートｒｐ［ｂｐｓ］をｒｐ≧ｒ２、かつｒｐは固定という条件で設定するものとする。
【００２７】
図５で、光ディスク１上のトラックは内側から外側に向かって読み出されていくので、光ディスク１上の光スポットの位置はＰ１，Ｐ２，Ｐ３の順に動き、読み出されたデータの並びは図６（ａ）のようにｍから（ｍ＋ｎ）まで連続となる。この場合、バッファメモリ９の蓄積量は、図６（ｄ）のｄ１のように容量以下の余裕のある状態で動作が行われる。しかし、光ディスク１からの読み出されるデータ転送レートｒｐ［ｂｐｓ］よりも、バッファメモリ９からのデータ転送レートｒｂ［ｂｐｓ］の方が低い値であると、ある時点（ｔ５）でバッファメモリ９は図６（ｄ）のｄ２のように、そのデータ蓄積量が容量一杯になり、読み出しが間に合わずにそれ以上の書き込みができない状態になってしまう（オーバーフロー）。蓄積量検出回路１５は、書き込み制御回路１３からの書き込みアドレスと読み出し制御回路１４からの読み出しアドレスの差分を監視することにより、バッファメモリ９のデータ蓄積量を検出している。この蓄積量検出回路１５が、図６（ｂ）のように時刻ｔ５でバッファメモリ９のデータ蓄積量ｆｕｌｌを検出すると、マイコン１６は書き込み制御回路１３による書き込みアドレスの生成を中断して、図６（ｃ）のようにバッファメモリ９へのデータ書き込みを一時中断する。同時にマイコン１６は、ピックアップ制御回路５により光ピックアップ３の位置を１トラックだけ内側に移動させ、再び光スポットの読み出し位置をＰ１，Ｐ２，Ｐ３の順に動くようにする。光ディスク１上の光スポットの位置アドレスが移動前の位置に戻ってくる時刻ｔ６までは、ｍ〜（ｍ＋ｎ）のデータはバッファメモリ９へは書き込まれず、時刻ｔ６になってから書き込みを再開するので、バッファメモリ９に書き込まれるデータの並びは、…，（ｍ＋ｎ），（ｍ＋ｎ＋１），…というように連続になる。
【００２８】
ここで時刻ｔ５〜ｔ６の間でも、バッファメモリ９から復号化回路１０へのデータ読み出しは転送レートｒｂ［ｂｐｓ］で行われているので、時刻ｔ６にはバッファメモリ９の蓄積量は、図６（ｄ）のｄ３のようにｆｕｌｌの状態からｒｂ×（ｔ６−ｔ５）［ｂｉｔｓ］だけ空きができた状態に復帰することになる。ところで、バッファメモリ９の容量を考えた場合、時刻ｔ５〜ｔ６の間に完全にゼロになってしまうと、それ以上は読み出すデータが存在せず、データが時間的にとぎれてしまう。これを回避するため、バッファメモリ９の容量Ｍは以下に示す条件が必要となる。光ピックアップからのデータ読み出しの転送レートｒｐ［ｂｐｓ］は前述のようにｒｐ≧ｒｂであり、（ｔ６−ｔ５）［ｓ］が最長となるのは、光スポットの読み出し位置が光ディスク１の最外周にある場合なので、その時の所要時間、すなわち光ピックアップ３が光ディスク１の最外周１周分のデータを再生するのに要する時間をＴ［ｓ］とすると、バッファメモリ９の容量Ｍは少なくともＭ≧（ｒｐ×Ｔ）［ｂｉｔｓ］である必要がある。
【００２９】
例えばＣＤ−ＲＯＭディスクを例にとった場合、光ピックアップ３からのデータ転送レートｒｐを９［Ｍｂｐｓ］で行うとすれば、線速度はｖ＝９［ｍ／ｓ］となり、ディスク最外周長ｌｍ＝０．３６４［ｍ］であることから、Ｍ＝ｒｐ×ｌｍ／ｖ＝０．３６４［Ｍｂｉｔｓ］となる。また、ＣＤ−ＲＯＭよりも記録密度の高いディスクでは、例えばトラックの接線方向の記録密度が２倍の場合、同様に光ピックアップ３からのデータ転送レートｒｐを９［Ｍｂｐｓ］で行うとすれば、線速度はｖ’＝４．５［ｍ／ｓ］となり、ディスク最外周長ｌｍ＝０．３６４［ｍ］であることから、Ｍ＝ｒｐ×ｌｍ／ｖ’＝０．７２８［Ｍｂｉｔｓ］となる。
【００３０】
次に、特殊再生動作についてＸ倍速再生時の動作を例にとって説明する。図７は光ディスク１上のトラックの様子を示した図であり、図５と同様にｍ，（ｍ＋ｘ），（ｍ＋２ｘ）はそれぞれセクタを表し、Ｐ１〜Ｐ６は光ディスク１上の光スポットの位置を表す。また図８はデータの転送の様子を示した図であり、同図（ａ）は光ディスク１から読み出されるデータの並び、同図（ｂ）はバッファメモリ９への書き込みの状態である。
【００３１】
図７で、光ディスク１上の光スポットの位置がＰ１にあるときにＸ倍速再生の命令が入力されたとする。まずセクタｍのデータを読み出した後、トラックジャンプ等により次の目標セクタである（ｍ＋ｘ）を検索する。この初期位置から目標セクタまでの距離ｘは、何倍速で再生を行うかに応じてマイコン１６内で計算されるものとする。検索が行われた後、セクタ（ｍ＋ｘ）のデータを読み出し、再び次の目標セクタである（ｍ＋２ｘ）を検索し、以後、同様にこの動作を繰り返す。この結果、光スポットはＰ１〜Ｐ６の順に移動していくことになる。このとき、光ピックアップから読み出されたデータ中には、図８（ａ）に示すように
必ずｍ，（ｍ＋ｘ），（ｍ＋２ｘ），…，（ｍ＋ｋｘ）のセクタが含まれる（ｋは整数）。マイコン１６は書き込み制御回路１３に対して、セクタ（ｍ＋ｋｘ）のデータ読み出しが行われている間だけ書き込みアドレスの生成を行わせる。従って、同図（ｂ）に示すように期間だけバッファメモリ９へのデータの書き込みが行われ、それ以外の期間ではデータの書き込みが一時中断される。
【００３２】
図９は、Ｘ倍速再生時にマイコン１６内で行われる動作のフローチャートである。同図を用いてマイコン１６内での動作を説明する。キーボード等の外部入力装置からＸ倍速再生の命令が入力されると、まずその時点で光ピックアップ３から読み出していたデータのサブコード中に含まれるＧＯＰのタイムコードであるＴＣをマイコン１６内に取り込み、再生位置を確認する。ここで、何倍速の再生を行うか、すなわち入力されたＸ倍速再生のＸとＴＣの関数により、次に読み出したいデータの位置（ＴＣ＋ｘ）を計算する。ＴＣと（ＴＣ＋ｘ）の差に応じて光ピックアップ３の移動量を計算し、ピックアップ制御回路５に対して移動量及び移動の方向を出力する。この際、ピックアップ制御回路５は、移動する距離に応じてトラックを１トラックずつ飛び越していくトラックジャンプを行わせても良いし、一旦トラッキング制御をオフにして光ピックアップ３を設置しているキャリッジを移動させても良い。但し、何れの方法であっても検索動作に伴ってサブコードデータの読み出しを適時行うものとする。マイコン１６は、検索動作中のサブコード中に含まれるＴＣを監視し、これが（ＴＣ＋ｘ）となったときに、前述のように書き込み制御回路１３に対して書き込みアドレスの生成を行わせ、バッファメモリ９へのデータの書き込みを開始する。データを書き込むセクタ長は、入力されたＸ等に応じて１セクタあるいはａセクタとすることができる。例えばａセクタ分のデータを使用する場合には、サブコード中のＴＣが（ＴＣ＋ｘ＋ａ）となったときに、バッファメモリ９へのデータの書き込みを一旦停止する。なお、１度に読み出すデータを１セクタに固定してしまえば、この３０３の実行項目は省略可能である。その後Ｘ倍速再生命令が継続中であれば、次に読み出したいデータの位置を計算し、以後上記の動作を繰り返させる。
【００３３】
なお、以上Ｘ倍速再生動作を例にとって説明したが、Ｘ倍速再生のＸをマイナスの整数とすれば逆方向再生に容易に適用できる。また、｜Ｘ｜＜１とすればスロー再生を行わせることが可能である。さらに検索動作についても、図９のフローチャートの３０１の実行項目における目標セクタ（ＴＣ＋ｘ）を、検索先位置等のデータと現在位置のＴＣから計算するようにし、３０２の実行項目までで動作を行わせれば検索動作を実行できる。
【００３４】
次に、サブコード内に記録したＳＨＣを用いた特殊再生動作について説明する。図１０はＸ倍速再生時にマイコン１６内で行われる動作のフローチャートである。キーボード等の外部入力装置からＸ倍速再生の命令が入力されると、入力されたＸ倍速再生のＸとの関数により、マイコン１６内では次に読み出したいデータの概略の位置を計算し、これに応じたジャンプするトラックの本数とジャンプの方向を、ピックアップ制御回路５に対して出力する。マイコン１６は、トラックジャンプ終了後のサブコード中に含まれるＳＨＣを監視し、これを検出したときに、前述のように書き込み制御回路１３に対して書き込みアドレスの生成を行わせ、バッファメモリ９へのデータの書き込みを開始する。以後の動作は、図９で示したものと全く同様に行えば良い。このような動作によってＸ倍速再生を行わせた場合、指定されたＸ倍速に対して多少の誤差は生じるものの、３０４〜３０６で実行される目標セクタへの到達時間を、図９のフローチャートによる動作よりも短くすることができ、バッファメモリ９のアンダーフローを防ぐのに効果がある。
【００３５】
なお、以上の動作で目標セクタまでの検索動作に要する時間が短い場合には、通常再生時の動作で説明したようなバッファメモリ９のオーバーフローが発生することがある。従って、特殊再生動作時でも通常再生時と全く同様に、蓄積量検出回路１５は、書き込み制御回路１３からの書き込みアドレスと、読み出し制御回路１４からの読み出しアドレスの差分を監視することにより、バッファメモリ９のデータ蓄積量を検出し、データ蓄積量ｆｕｌｌを検出すると、バッファメモリ９へのデータ書き込みを一時中断する。
【００３６】
このように、サブコードの監視による検索を行うことにより、例えばＭＰＥＧ方式により符号化された画像データでＧＯＰ単位の画像再生を容易に行うことができる。従って１倍速の連続再生以外にも、スロー再生，高速再生、あるいは逆方向再生等の特殊再生や高速な検索動作が可能となる。
【図面の簡単な説明】
【００３７】
【図１】本発明による光ディスクの第１の実施例を示すデータの説明図。
【図２】光ディスクに記録する画像データの転送レートの変化を示すグラフ。
【図３】本発明による光ディスク再生装置の第１の実施例を示す回路のブロック図。
【図４】図３の一部分を示す詳細な回路のブロック図。
【図５】光ディスク上のトラックと読み出し用の光スポットの位置関係を示す第１の説明図。
【図６】データ転送の様子を示した第１の説明図。
【図７】光ディスク上のトラックと読み出し用の光スポットの位置関係を示す第２の説明図。
【図８】データ転送の様子を示した第２の説明図。
【図９】マイコン内の動作を示す第１のフローチャート。
【図１０】マイコン内の動作を示す第２のフローチャート。
【符号の説明】
【００３８】
１…光ディスク、５…ピックアップ制御回路、６…ディジタル信号処理回路。
【図１】
2005327468.tif 000003
【図２】
2005327468.tif 000004
【図３】
2005327468.tif 000005
【図４】
2005327468.tif 000006
【図５】
2005327468.tif 000007
【図６】
2005327468.tif 000008
【図７】
2005327468.tif 000009
【図８】
2005327468.tif 000010
【図９】
2005327468.tif 000011
【図１０】
2005327468.tif 000012
【手続補正書】
【提出日】平成17年7月26日(2005.7.26)
【手続補正１】
【補正対象書類名】特許請求の範囲
【補正対象項目名】全文
【補正方法】変更
【補正の内容】
【特許請求の範囲】
【請求項１】
複数の転送レートにより圧縮された複数の圧縮画像データのビットストリームを記録媒体に記録するビットストリーム記録方法において、
前記ビットストリームは前記圧縮画像データ毎に転送レート情報を有し、
前記ビットストリームを記録する主情報記録領域と前記ビットストリームに関連した情報を記録するサブコード領域を有し、
前記主情報記録領域に、前記転送レート情報を記録し、
前記サブコード領域に、前記ビットストリーム内に含まれている時間情報を、前記ビットストリーム内に含まれている時間情報形式と同一の時間情報形式で記録し、
前記サブコード領域に、前記ビットストリーム内に含まれているシーケンスに関する情報を前記ビットストリーム内に含まれている時間情報形式と同一の時間情報形式で記録することを特徴とするビットストリーム記録方法。
【請求項２】
前記記録媒体は、光ディスクであることを特徴とする請求項１に記載のビットストリーム記録方法。
【請求項３】
複数の転送レートにより圧縮された複数の圧縮画像データのビットストリームを光ディスクに記録するビットストリーム記録方法であって、
前記ビットストリームは前記圧縮画像データ毎に転送レート情報を有し、
前記ビットストリームを取得する取得ステップと、
取得されたビットストリームから、前記圧縮画像データの先頭位置を示す情報であるシーケンスヘッダコードと、所定位置からの経過時間を示すコードであるタイムコードと、前記転送レート情報を抽出するステップと、
前記ビットストリーム及び抽出された前記転送レート情報を主情報のディジタルデータとして記録する第１の記録ステップと、
前記抽出されたタイムコードを前記主情報のディジタルデータとは別のデータであるサブコードに、前記ビットストリーム内のタイムコードと同一情報形式でタイムコードを記録する第２の記録ステップと、
前記抽出されたシーケンスヘッダコードを前記主情報のディジタルデータとは別のデータであるサブコードに、前記ビットストリーム内のタイムコードと同一情報形式でシーケンスヘッダコードを記録する第３の記録ステップと、
からなることを特徴とするビットストリーム記録方法。
【請求項４】
複数の転送レートにより圧縮された複数の圧縮画像データのビットストリームを記録媒体より再生するディジタルデータ再生装置において、
前記ビットストリームは前記圧縮画像データ毎に転送レート情報を有し、
前記記録媒体上のサブコード領域より前記ビットストリーム内に含まれている時間情報を再生し、前記記録媒体上の主情報記録領域より前記転送レート情報を有する前記ビットストリームを再生する再生手段と、
前記サブコード領域より前記ビットストリームに記録されたシーケンスに関する情報を再生し、前記記録媒体上の主情報記録領域より前記転送レート情報を有する前記ビットストリームを再生する再生手段と、
の２種類の再生手段を備えたことを特徴とするディジタルデータ再生装置。
【請求項５】
前記時間情報は、所定の位置からの時間を示す情報であることを特徴とする請求項４記載のディジタルデータ再生装置。
【請求項６】
前記記録媒体は、光ディスクであることを特徴とする請求項４または５に記載のディジタルデータ再生装置。
【請求項７】
Ｘ倍速再生時に前記記録媒体上のサブコード領域から再生される時間情報あるいはシーケンスに関する情報を監視し、
前記時間情報あるいはシーケンス情報が所定の値に一致したときに、該サブコード領域に続く主情報記録領域から前記ビットストリームを再生することを特徴とする請求項４乃至６何れか一項に記載のディジタルデータ再生装置。
【請求項８】
複数の転送レートにより圧縮された複数の圧縮画像データのビットストリームであって、タイムコード及び前記圧縮画像データ毎の転送レート情報を含むビットストリームを主情報として記録した光ディスクの再生方法において、
前記主情報とは異なるサブコードに記録されたタイムコードを再生する第１の再生ステップと、
前記サブコードに記録されたシーケンス情報を再生する第２の再生ステップと、
前記タイムコードあるいはシーケンス情報、及び前記転送レート情報に従って、主情報として記録された前記ビットストリームを再生する第３の再生ステップと、
からなることを特徴とする再生方法。
【請求項９】
前記第1の再生ステップと前記第３の再生ステップを組合わせて再生することを特徴とする請求項８の再生方法。
【請求項１０】
前記第２の再生ステップと前記第３の再生ステップを組合わせて再生することを特徴とする請求項８の再生方法。
【請求項１１】
複数の転送レートにより圧縮された複数の圧縮画像データのビットストリームが記録された記録媒体において、
前記ビットストリームは前記圧縮画像データ毎の転送レート情報を有し、
前記ビットストリームを記録する主情報記録領域と前記ビットストリームに関連した情報を記録するサブコード領域を有し、
前記サブコード領域に、前記ビットストリーム内に含まれている時間情報が前記ビットストリーム内に含まれている時間情報形式と同一の時間情報形式で記録されており、
前記サブコード領域に、前記ビットストリーム内に含まれているシーケンスに関する情報が前記ビットストリーム内に含まれている時間情報形式と同一の時間情報形式で記録されており、
前記転送レート、前記時間情報、前記シーケンスに関する情報は前記ビットストリームの再生に用いられることを特徴とする記録媒体。
【請求項１２】
前記時間情報は、所定の位置からの時間を示す情報であることを特徴とする請求項１１に記載の記録媒体。
【請求項１３】
前記記録媒体は、光ディスクであることを特徴とする請求項１１または１２に記載の記録媒体。